(57)【特許請求の範囲】
【請求項１】
釣竿本体と、
該釣竿本体の軸方向に沿って該釣竿本体の上に間隔をおいて配置され、該釣竿本体の周方向に沿って延びる複数の第１の凸状部材と、
前記釣竿本体の上に配置され、前記第１の凸状部材の各々の一端と他端との間において該釣竿本体の軸方向に沿って延びる複数の第２の凸状部材と、
を具備する釣竿。
【請求項２】
前記第１の凸状部材が、前記釣竿本体の軸方向に対して約４５度〜約１３５度の範囲の角度だけ傾斜した方向に沿って延びる、請求項１に記載の釣竿。
【請求項３】
前記第１の凸状部材が、前記釣竿本体の軸方向に直交する方向に沿って延びる、請求項２に記載の釣竿。
【請求項４】
前記第１の凸状部材及び前記第２の凸状部材が、前記釣竿本体の上に配置された２つの釣り糸ガイドの間に配置される、請求項１から請求項３のいずれかに記載の釣竿。
【請求項５】
前記釣竿本体の外面と前記第１の凸状部材と前記第２の凸状部材とを連続的に覆う保護層、をさらに具備する請求項１から請求項４のいずれかに記載の釣竿。
【発明の詳細な説明】
【技術分野】
【０００１】
本発明は、釣り糸の釣竿本体に対するベタ付きを軽減するための表面構造体を備えた釣竿に関する。
【背景技術】
【０００２】
釣り糸の釣竿本体に対するベタ付きを軽減するための釣竿としては、特開２０１１−４５３３５号公報に記載されたものが知られている。この釣竿では、釣竿本体の軸方向に第１の角度だけ傾斜して線状に延びる複数の第１の凸状パターンが、釣竿本体の軸方向に沿って間隔をおいて配置され、さらに、釣竿本体の軸方向に第２の角度だけ傾斜して線状に延びる複数の第２の凸状パターンが、釣竿本体の軸方向に沿って間隔をおいて配置されている。
【先行技術文献】
【特許文献】
【０００３】
【特許文献１】特開２０１１−４５３３５号公報
【発明の概要】
【発明が解決しようとする課題】
【０００４】
しかしながら、上記特許文献に記載された釣竿においては、釣竿の軸方向に沿って延びる複数の第１の凸状パターンと、同様に釣竿の軸方向に沿って延びる複数の第２の凸状パターンとの間には、所定の間隔がおかれているため、これら２種類の凸状パターンの間には、釣竿の軸方向に沿って連続的に延びる、何らの凸状パターンの存在しない領域が、形成されている。よって、この領域に釣り糸がベタ付き易くなっている。
【０００５】
そこで、本実施の形態により、釣り糸の釣竿本体に対するベタ付きを確実に抑えるための表面構造体を備えた釣竿を提供する。
【課題を解決するための手段】
【０００６】
一実施形態に係る釣竿は、釣竿本体と、該釣竿本体の軸方向に沿って該釣竿本体の上に間隔をおいて配置され、該釣竿本体の周方向に沿って延びる複数の第１の凸状部材と、前記釣竿本体の上に配置され、前記第１の凸状部材の各々の一端と他端との間において該釣竿本体の軸方向に沿って延びる複数の第２の凸状部材と、を具備する。
【発明の効果】
【０００７】
本実施の形態により、釣り糸の釣竿本体に対するベタ付きを確実に抑えるための表面構造体を備えた釣竿を提供する。
【図面の簡単な説明】
【０００８】
【図１】図１は、本発明の実施形態１に係る表面構造体を備えた釣竿を示す側面図である。
【図２】図２は、図１に示した釣竿の一部を拡大して示す側面図である。
【図３】図３は、図２のＡ−Ａ断面図である。
【図４】図４は、図３のＢ−Ｂ断面図である。
【図５】図５は、図５は、図２のＣ−Ｃ断面図である。
【図６】図６は、図３に示した２つの第２の凸状部材３００のうちの一方を拡大して示す断面図である。
【図７】図７は、本発明の実施形態１に係る表面構造体（別の例）を備えた釣竿の一部を拡大して示す側面図である。
【図８】図８は、本発明の実施形態２に係る表面構造体を備えた釣竿の一部を拡大して示す側面図である。
【図９】図９は、図８のＤ−Ｄ断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、様々な実施形態に係る塗装構造体が工業製品の１つである釣竿の表面の上に形成される場合について説明するが、これらの実施形態に係る塗装構造体は、釣具やゴルフシャフト等を含むあらゆる工業製品に適用可能なものである。
【００１１】
（実施形態１）
図１は、本発明の実施形態１に係る表面構造体を備えた釣竿を示す側面図である。図１に示すように、釣竿１０は、リール１が取り付けられた元竿１１と、元竿１１に取り付けられた中竿１２（中竿１２ａ〜１２ｃ）と、中竿１２に取り付けられた穂先竿１３と、を含む。釣竿１０としては、例えば、磯竿が用いられる。なお、釣竿１０は、振り出し式のものであってもよい。
これらの元竿１１、中竿１２及び穂先竿１３は、例えば、強化繊維に合成樹脂を含浸させた繊維強化プリプレグシートを芯金に巻回した後、硬化、脱芯等の工程を経て形成されたものである。各竿は、中空構造及び中実構造のいずれの構造を有するものであってもよい。
【００１２】
元竿１１、中竿１２及び穂先竿１３の各々には、少なくとも１つの釣糸ガイド２０が取り付けられている。リール１から繰り出された釣糸は、図１に示されたすべての釣糸ガイド２０により順次案内されるようになっている。なお、説明の便宜上、元竿１１、中竿１２及び穂先竿１３のそれぞれをまとめて釣竿本体１００と称する。
【００１３】
釣竿本体１００において２つの釣糸ガイド２０の間には、釣糸の釣竿本体に対するベタ付きを軽減するための表面構造体３０が形成されている。図１には、一例として、表面構造体３０が釣糸ガイド２０に隣接する位置に形成されている構成が示されている。
【００１４】
図２は、図１に示した釣竿の一部を拡大して示す側面図である。図３は、図２のＡ−Ａ断面図である。図示のように、本実施形態に係る表面構造体３０は、釣竿本体１００と、釣竿本体１００の上に配置された複数の第１の凸状部材２００と、釣竿本体１００の上に配置された複数の第２の凸状部材３００と、を含む。
【００１５】
釣竿本体１００は、その上に配置された塗装面（装飾面）を含むものとしてもよい。
複数の第１の凸状部材２００は、釣竿本体１００の軸方向に沿って間隔をおいて配置されている。複数の第１の凸状部材２００は、釣竿本体１００の周方向に沿って延びている。図２には、一例として、複数の第１の凸状部材２００が、一定の間隔をおいて配置され、かつ、釣竿本体１００の軸方向に直交する（垂直な）方向に沿って延びている構成が示されている。
【００１６】
複数の第２の凸状部材３００は、複数の第１の凸状部材２００の各々の一端２０２と他端２０４との間において、釣竿本体１００の軸方向に沿って延びている。図２には、一例として、第２の凸状部材３００が、２本、直線状に延びている構成が示されている。
【００１７】
これら第１の凸状部材２００及び第２の凸状部材３００は、例えば、エポキシ樹脂により構成されたインクを用いたスクリーン印刷により、釣竿本体１００の上に配置されるものとすることができる。刷板としては、メッシュの粗さ及び版厚が適宜調整されたものが用いられる。
【００１８】
なお、表面構造体３０は、釣竿本体１００と、第１の凸状部材２００と、第２の凸状部材３００とを連続的に覆う保護層（クリア層）４００を含むことができる。保護層４００は、例えば、塗料から顔料を除去したもの等により構成される。この保護層４００は、しごき塗装等により付与されるものとすることができる。
【００１９】
さらに、釣竿１０は、工場出荷時において、及び／又は、ユーザにより使用される際において、その全体にわたって撥水剤が付与されるようにしてもよい。
【００２０】
図２に示すように、本実施形態によれば、釣竿本体１００の周方向略全体に沿って第１の凸状部材２００が延びている。よって、釣糸ガイド２０の付近において釣糸が緩むことに起因して、釣糸が、釣竿本体１００の例えば側方及び下方から釣竿本体１００に向かって移動しても、第１の凸状部材２００によって、釣竿本体１００に張り付くことが抑えられる。さらには、緩んだ釣糸が、釣竿本体１００の上方から釣竿本体１００に向かって移動しても、第２の凸状部材３００によって、釣竿本体１００に張り付くことが抑えられる。このように、釣糸は、釣竿本体１００に対してどの方向から近づいても、釣竿本体１００に容易には張り付くことができない。
【００２１】
図４は、図３のＢ−Ｂ断面図である。図４には、図２に示された複数の第１の凸状部材２００のうちの１つの第１の凸状部材２００の断面形状が示されている。図４には、一例として、第１の凸状部材２００が略半円状の断面形状を有する構成が示されているが、第１の凸状部材２００は、矩形状、三角形状等の任意の断面形状を有するものであってもよい。なお、図４に示すように、釣竿本体１００は、その上に塗装面（装飾面）１１０を有するものであってもよい。
【００２２】
図４に示すように、第１の凸状部材２００の一端２００ａを覆う保護層４００ａは、第１の凸状部材２００に向かって緩やかに上昇する傾斜面（下に凸の傾斜面）４００ａ１を有する。この保護層４００ａによれば、この傾斜面４００ａ１上に汚れが付着しても取れ易くなる。また、第１の凸状部材２００の一端２００ａが他端２００ｂよりも元竿側に位置する関係にあるとすると、釣竿１０の竿先を下にするように釣竿１０を操作すれば、傾斜面４００ａ１に流れてきた水滴が第１の凸状部材２００を乗り越えて竿先に向かう方向に流れ易くなる。
【００２３】
また、第１の凸状部材２００の他端２００ｂを覆う保護層４００ｂは、第１の凸状部材２００に向かって急激に上昇する傾斜面（凹状の傾斜面）４００ｂ１を有する。この保護層４００ｂによれば、この傾斜面４００ｂ１に釣糸が張り付きにくくなる。このような凹状の傾斜面４００ｂ１によれば、撥水層として機能する表面（凸状部材２００により保護される表面）の面積を広くすることができるので、釣糸のベタ付きを抑えることができる。      
【００２４】
なお、図４に示した形状を有する保護層４００は、例えばしごき塗装を用いることにより形成される。具体的には、塗料が収容された容器の中に、釣竿１０を図４中の左側から挿入すれば、図４に示したような保護層４００ａ及び保護層４００ｂが形成される。逆に、上記容器の中に、釣竿１０を図４中の右側から挿入すれば、図４に示したものとは反対の位置関係にある保護層４００ａ及び保護層４００ｂが形成される。
【００２５】
図５は、図２のＣ−Ｃ断面図である。図６は、図３に示した２つの第２の凸状部材３００のうちの一方を拡大して示す断面図である。図６には、一例として、第２の凸状部材３００が略半円状の断面形状を有する構成が示されているが、第２の凸状部材３００は、矩形状、三角形状等の任意の断面形状を有するものであってもよい。なお、図５及び図６に示すように、釣竿本体１００は、その上に塗装面（装飾面）１１０を有するものであってもよい。
【００２６】
図５に示すように、第２の凸状部材３００の一端３００ａを覆う保護層４１０ａは、第２の凸状部材３００に向かって緩やかに上昇する傾斜面（下に凸の傾斜面）４１０ａ１を有する。また、第２の凸状部材３００の他端３００ｂを覆う保護層４１０ｂは、第２の凸状部材３００に向かって急激に上昇する傾斜面（凹状の傾斜面）４１０ｂ１を有する。
図５に示した形状を有する保護層４００は、例えばしごき塗装を用いることにより形成される。具体的には、塗料が収容された容器の中に、釣竿１０を図５中の左側から挿入すれば、図５に示したような保護層４１０ａ及び保護層４１０ｂが形成される。逆に、上記容器の中に、釣竿１０を図５中の右側から挿入すれば、図５に示したものとは反対の位置関係にある保護層４１０ａ及び保護層４１０ｂが形成される。
【００２７】
図６に示すように、第２の凸状部材３００の一端３１０ａを覆う保護層４２０ａは、第２の凸状部材３００に向かって緩やかに上昇する傾斜面（下に凸の傾斜面）４２０ａ１を有する。同様に、第２の凸状部材３００の他端３１０ｂを覆う保護層４２０ｂもまた、第２の凸状部材３００に向かって緩やかに上昇する傾斜面（下に凸の傾斜面）４２０ｂ１を有する。これにより、これらの傾斜面に流れてきた水滴は、第２の凸状部材３００を乗り越え易くなる。
【００２８】
なお、図６に示すように、第２の凸状部材３００を覆う保護層４００のうち湾曲した表面を有する部分の幅は、約０.５ｍｍ〜約１.５ｍｍの範囲内にある幅、好ましくは、約１.０ｍｍ以下の幅とすることができる。また、この部分の頂部の高さは、０.０３ｍｍ〜０.２０ｍｍの範囲内にある高さ、好ましくは、０.１ｍｍ以上の高さとすることができる。
【００２９】
また、第２の凸状部材３００は、第１の凸状部材２００よりも低い高さを有するように形成してもよい。
【００３０】
また、図７に示すように、釣竿本体１００を成形する際に生じた、釣竿本体１００の軸方向に沿って螺旋状に延びるテープ目５００を残すようにしてもよい。このテープ目は、マンドレルにプリプレグシートを巻回し、その上に成形テープを螺旋状に巻回した状態において、これらを焼成した後、成形テープを剥がすことにより、形成されたものである。
【００３１】
このように、本実施形態によれば、まず、釣竿本体１００の軸方向に沿って釣竿本体１００の上に間隔をおいて配置され、釣竿本体１００の周方向に沿って延びる複数の第１の凸状部材２００が形成される。これに加えて、釣竿本体１００の上に配置され、複数の第１の凸状部材２００の各々の一端２０２と他端２０４との間において釣竿本体１００の軸方向に沿って延びる複数の第２の凸状部材３００が形成される。これにより、周方向に延びる第１の凸状部材２００に沿って、第１の凸状部材２００の一端２０２と他端２０４との間に案内されてきた水滴は、軸方向に延びる第２の凸状部材３００に沿って、穂先竿に向かう方向又は竿元に向かう方向に案内され排出される。これにより、釣竿本体１００の表面に水滴が残ることが抑えられる。
【００３２】
また、釣竿本体１００の表面において、周方向に延びる第１の凸状部材２００の切れ目（すなわち、第１の凸状部材２００の一端２０２と他端２０４との間の領域）が、軸方向に延びる第２の凸状部材３００により埋められていることにより、竿の出し入れや釣糸の摩擦による釣竿本体１００の表面の損傷が抑えられる。
【００３３】
また、釣竿本体１００の表面に撥水剤を付与するときには、第１の凸状部材２００及び第２の凸状部材３００に沿ってそれぞれ周方向及び軸方向にわたってムラ無く釣竿本体１００の表面に撥水剤を効率的に塗布することができる。逆に、釣竿本体１００の表面から撥水剤を取り除くときにも、第１の凸状部材２００及び第２の凸状部材３００に沿ってそれぞれ周方向及び軸方向にわたって布等を滑らせることにより、効率的に撥水剤を拭き取ることができる。
【００３４】
また、釣竿本体１００に撥水剤を塗布した場合には、釣竿本体１００の表面に付与された撥水剤は、周方向に延びる複数の第１の凸状部材２００の間、及び、軸方向に延びる複数の第２の凸状部材３００の間に存在する。撥水剤の表面は、第１の凸状部材２００の表面及び第２の凸状部材３００の表面よりも低い位置に存在する。よって、竿の出し入れ、並びに、糸及び遊動ガイドの接触等によって擦れる部分は、専ら第１の凸状部材２００の表面及び第２の凸状部材３００の表面であって、これらの間に付与された撥水剤の表面ではない。これにより、釣竿１０の使用によって釣竿本体１００の表面に付与された撥水剤が磨耗して撥水性能が低下する、という事態も抑えられる。
【００３５】
（実施形態２）
図８は、本発明の実施形態２に係る表面構造体を備えた釣竿の一部を拡大して示す側面図である。図９は、図８のＤ−Ｄ断面図である。
【００３６】
図示のように、第１の凸状部材２５０は、釣竿本体１００の軸方向に対して傾斜した方向に沿って延びるように形成されている。第１の凸状部材２５０が釣竿本体１００の軸方向に対して成す角度θは、約４５度〜約１３５度の範囲内にある角度とすることができる。なお、角度θを９０度とした場合に得られるものが、実施形態１における第１の凸状部材２００に相当する。
【００３７】
これに代えて、又は、これに加えて、第１の凸状部材２５０の一端２５２と他端２５４との間の距離を、実施形態１における第１の凸状部材２００の一端２０２と他端２０４との間の距離よりも大きくとり、第２の凸状部材３００が、３本、直線状に延びるようにしてもよい。なお、第２の凸状部材３００は任意の本数を含むものであってもよい。
【符号の説明】
【００３８】
１００（１１、１２、１３）  釣竿本体
１１０  塗装面
２００  第１の凸状部材
２０２  第１の凸状部材の一端
２０４  第１の凸状部材の他端
３００  第２の凸状部材
４００  保護層
【図１】
0005787815.tif 000002
【図２】
0005787815.tif 000003
【図３】
0005787815.tif 000004
【図４】
0005787815.tif 000005
【図５】
0005787815.tif 000006
【図６】
0005787815.tif 000007
【図７】
0005787815.tif 000008
【図８】
0005787815.tif 000009
【図９】
0005787815.tif 000010